(57)【要約】【課題】フック付きロープを簡単な作業によって嵩低く折り畳むことができるようにして、移動の際の安全性を確保することができるようにした高所作業用安全帯を提供することである。【解決手段】胴ベルト１にロープ連結リング６を取付け、そのロープ連結リング６に安全装置付きのフック７を先端部に有するフック付きロープ８の後端部を連結する。フック付きロープ８の長さ方向の略中央部に胴ベルト１に取付けられたリング係合フック１３に対して係合可能な係合リング９を取付ける。作業現場への移動や作業終了後の移動に際しては、フック７をロープ連結リング６に係合し、かつ、係合リング９をリング係合フック１３に係合して、フック付きロープ８を四つ折りの折り畳み収納状態とし、フック付きロープ８が移動の邪魔をしないようにする。【選択図】図３
2009017942.tif 000002
【特許請求の範囲】
【請求項１】
バックルを一端部に有する胴ベルトにフックが係合可能なロープ連結リングを取付け、そのロープ連結リングに安全装置付きのフックを先端部に有するフック付きロープの後端部を連結した高所作業用安全帯において、
前記胴ベルトの前記ロープ連結リングの取付け位置に近接する部位にリング係合フックを取付け、前記フック付きロープの長さ方向の略中央位置に前記リング係合フックに対して係合可能な係合リングを取付けたことを特徴とする高所作業用安全帯。
【請求項２】
前記係合リングをフック付きロープに対して着脱自在の取付けとした請求項１に記載の高所作業用安全帯。
【発明の詳細な説明】
【技術分野】
【０００１】
この発明は、建築現場等の高所で作業を行う際に使用される高所作業用安全帯に関するものである。
【背景技術】
【０００２】
一般に、高所で作業を行う場合、高所作業用安全帯の着用が義務付けられている。ここで、高所作業用案全帯は、胴ベルトにＤ環と称せられるロープ連結リングを取付け、そのロープ連結リングにフック付きロープを連結した構成とされている。この高所作業用安全帯においては、胴ベルトを作業者の腰部に締付け、フック付きロープの先端の安全装置付きフックを高所作業位置に略水平に張設された親綱や足場枠の横パイプ等に係合することによって、作業者が万一足を踏み外して落下しても、作業者はフック付きロープで受け止められて墜落するのが防止されるため、極めて安全である。
【０００３】
ところで、上記の高所作業用安全帯は、現場への入退場等の移動時にはフック付きロープを使用することがないので、収納する状態とされる。その収納方法として、特許文献１に記載されているように、胴ベルトに取り付けられた収納袋内にフック付きロープを小さく折り畳んで収納する方法が存在する。
【０００４】
【特許文献１】特開平１１−２５３５６９号公報
【発明の開示】
【発明が解決しようとする課題】
【０００５】
ところで、収納袋内にフック付きロープを収納する方法においては、移動する度にフック付きロープを小さく折り畳む必要があるため、度重なる移動の際には非常に煩わしいものとなる。
【０００６】
そこで、図５に示すように、フック付きロープ８を長さ方向に二つ折りしてフック７をロープ連結リング６に係合する収納方法が採られることが多くなってきている。
【０００７】
上記のように、ロープ連結リング６にフック７を係合する収納方法においては、二つ折りされたフック付きロープ８が作業者の足首近くまで垂れ下がるようになるため、移動の際にフック付きロープ８が足に纏わり付いて邪魔をすることが多く、ときには、障害物に引っ掛かりが生じて転倒する危険がある。
【０００８】
このような問題点の解決には、図６に示すように、垂れ下がるフック付きロープ８を折り畳んで結び付けることが有効であるが、この場合、経年によるロープ８の強度低下を助長するばかりでなく、ロープ使用の際に、その都度、結び目２０を解く必要があるため、非常に煩わしいものとなる。
【０００９】
この発明の課題は、フック付きロープを簡単な作業によって嵩低く折り畳むことができるようにして、移動の際の安全性を確保することができるようにした高所作業用安全帯を提供することである。
【課題を解決するための手段】
【００１０】
上記の課題を解決するために、この発明においては、バックルを一端部に有する胴ベルトにフックが係合可能なロープ連結リングを取付け、そのロープ連結リングに安全装置付きのフックを先端部に有するフック付きロープの後端部を連結した高所作業用安全帯において、前記胴ベルトの前記ロープ連結リングの取付け位置に近接する部位にリング係合フックを取付け、前記フック付きロープの長さ方向の略中央位置に前記リング係合フックに対して係合可能な係合リングを取付けた構成を採用したのである。
【００１１】
上記の構成からなる高所作業用安全帯において、作業現場への移動や作業終了後の移動に際しては、ロープ先端のフックをロープ連結リングに係合してロープを二つ折りの状態とした後、係合リングを引き上げてリング係合フックに係合し、ロープを四つ折りとする嵩低い折り畳み状態において移動する。
【００１２】
ここで、リング係合フックはロープ先端のフックの掛け吊り用として胴ベルトに取付けられている場合が多い。そこで、係合リングをフック付きロープに対して着脱自在の取付けとすることにより、既存の高所作業用安全帯のフック付きロープに対して係合リングを取付けることができるため、既存の高所作業用安全帯においても、フック付きロープを四つ折りとする嵩低い折り畳みの収納状態を得ることができる。
【発明の効果】
【００１３】
上記のように、この発明においては、胴ベルトにリング係合フックを取付け、フック付きロープの長さ方向の略中央位置に係合リングを取付けたことにより、ロープ連結リングにフックを係合した後、係合リングを引き上げてリング係合フックに係合する極めて簡単な作業によって、フック付きロープを四つ折とする嵩低い収納状態を得ることができる。
【００１４】
また、フック付きロープは四つ折りとされる収納状態であるため、移動の際にロープが足に纏わりついて歩行の妨げになり、あるいは、障害物に引っ掛かるという不都合の発生はなく、移動の際の安全性を充分に確保することができる。
【発明を実施するための最良の形態】
【００１５】
以下、この発明の実施の形態を図１乃至図４に基づいて説明する。図１に示すように、胴ベルト１は、一端部にバックル２を有し、そのバックル２に近接する位置にベルト通し３が取付けられている。
【００１６】
また、胴ベルト１には、作業者の腰部に対する締付け状態で、その腰部の一側部と対向する位置に複数のベルト挿入孔５を有するリング留め板４が取付けられている。
【００１７】
リング留め板４の表面側に突出するベルト屈曲部１ａにはＤ環と称せられるロープ連結リング６が取付けられ、そのロープ連結リング６に安全装置付きのフック７を先端部に有するフック付きロープ８の後端部が連結されている。
【００１８】
フック付きロープ８の長さ方向の略中央部には係合リング９が取付けられている。図４（Ｉ）、（II）に示すように、係合リング９は、フック付きロープ８に巻き付けるバンド１０と、そのバンド１０が挿通される複数の挿通孔１２を有するバンド留め板１１を介してフック付きロープ８に着脱自在に取付けられている。
【００１９】
なお、係合リング９の取付けは図４に示されるものに限定されず、雄ホックと雌ホックの掛け外しや面ファスナの係合によってフック付きロープ８に巻付け状態に保持し得るバンドを介してフック付きロープ８に着脱自在に取付けるようにしてもよい。
【００２０】
フック付きロープ８に取付けられた係合リング９は胴ベルト１に取付けられたリング係合フック１３に対して係脱自在とされている。図４（Ｉ）、（II）に示すように、リング係合フック１３は基盤部１３aの片面下部に上向きのフック部１３ｂを一体に設けた構成とされ、上記基盤部１３aには両側面に貫通するベルト挿入孔１４が形成され、そのベルト挿入孔１４に対する胴ベルト１の挿入によって取付け状態に保持されている。その取付け位置は、ロープ連結リング６に近接する位置とされている。
【００２１】
実施の形態で示す高所作業用安全帯は上記の構造からなり、高所での作業に際しては、作業者の腰部に胴ベルト１を巻き付けて締付け、フック付きロープ８の先端のフック７を作業位置に張設された親綱や構築物等に係合して、安全性を確保する。
【００２２】
作業位置への移動や作業終了後の移動に際しては、図２に示すように、フック付きロープ８の先端のフック７をロープ連結リング６に係合して、フック付きロープ８を二つ折りの状態とした後、下端に位置する係合リング９を引き上げ、図３に示すように、その係合リング９をリング係合フック１３に係合する。
【００２３】
上記係合リング９の引き上げによって、フック付きロープ８は四つ折りの折り曲げ状態とされ、また、リング係合フック１３に対する係合リング９の係合によってフック付きロープ８は四つ折りの折り曲げ状態に保持される。
【００２４】
このように、リング係合フック１３に係合リング９を係合する簡単な作業によってフック付きロープ８を四つ折とする嵩低い収納状態を得ることができ、しかも、フック付きロープ８は四つ折りの状態であるため、移動の際に足に纏わりついて歩行の妨げになり、あるいは、障害物に引っ掛かるという不都合の発生はなく、安全に移動することができる。
【００２５】
ここで、フック付きロープ８を四つ折りとする収納状態において、ロープ連結リング６に対するフック７の係合を解除して、そのフック７を上方に引き上げることにより、係合リング９も引き上げられることになり、リング係合フック１３に対する係合リング９の係合を簡単に解除することができる。
【図面の簡単な説明】
【００２６】
【図１】この発明に係る高所作業用安全帯の実施の形態を示す展開図
【図２】フック付きロープの折り畳み収納状態の途中の状態を示す斜視図
【図３】フック付きロープの折り畳み収納状態を示す斜視図
【図４】（Ｉ）はリング係合フックに係合リングを係合した状態の正面図、（II）は（Ｉ）の縦断側面図
【図５】従来のフック付きロープの折り畳み収納状態を示す斜視図
【図６】従来のフック付きロープの他の折り畳み収納状態を示す斜視図
【符号の説明】
【００２７】
１    胴ベルト
２    バックル
６    ロープ連結リング
７    フック
８    フック付きロープ
９    係合リング
１３  リング係合フック
【図１】
2009017942.tif 000003
【図２】
2009017942.tif 000004
【図３】
2009017942.tif 000005
【図４】
2009017942.tif 000006
【図５】
2009017942.tif 000007
【図６】
2009017942.tif 000008